(57)【要約】    【課題】  良好な除雪効率を有するロータリー除雪機を提供することである。    【解決手段】  回転駆動されるように除雪機の先端に取り付けられたドラム（１２）を備え、ドラムが、小径部（１４ａ）が中央の側に位置するように左側に配置された切頭円錐形の第１ドラム部分（１４）と、中央部に配置され、一方の端部（１５ａ）が第１ドラム部分の小径部と連続している円筒形の中央ドラム部分（１５）と、右側に配置され、小径部（１６ａ）が中央ドラム部分の他方の端部（１５ｂ）と連続している切頭円錐形の第２ドラム部分（１６）とを有し、中央ドラム部分の外壁に、円周方向に等距離間隔隔てて、雪を遠方に撥ね飛ばすための複数基の第１羽根（２０）が取り付けられており、第１ドラム部分及び第２ドラム部分の外壁に、雪を中央部に掻き集めるための第２羽根（２２）が取り付けられている。【選択図】  図１
2006291633.tif 000002
【特許請求の範囲】
【請求項１】
ロータリー除雪機であって、
回転駆動されるように除雪機の先端に取り付けられたドラムを備え、
前記ドラムが、小径部が中央の側に位置するように左側に配置された切頭円錐形の第１ドラム部分と、中央部に配置され、一方の端部が前記第１ドラム部分の前記小径部と連続している円筒形の中央ドラム部分と、右側に配置され、小径部が前記中央ドラム部分の他方の端部と連続している切頭円錐形の第２ドラム部分とを有しており、
前記中央ドラム部分の外壁に、円周方向に等距離間隔隔てて、雪を遠方に撥ね飛ばすための複数基の第１羽根が取り付けられており、
前記第１ドラム部分及び前記第２ドラム部分の外壁に、雪を前記中央部に掻き集めるための第２羽根が取り付けられており、
前記第２羽根によって前記中央部に掻き集められた雪を、前記第１羽根によって掬い取って遠方に撥ね飛ばすように構成されていることを特徴とする除雪機。
【請求項２】
前記各第１羽根が、一対の対向した円周方向壁及び各円周方向壁の一端同士を連結する横断壁を有し、平面視でほぼコ字形の形状に形作られており、
前記第２羽根が、各第１羽根の円周方向壁の他端から前記第１ドラム部分の大径部及び前記第２ドラム部分の大径部まで、円周方向において前記第１羽根から遠去かる方へそれぞれ延びるように形作られていることを特徴とする請求項１に記載の除雪機。
【請求項３】
ロータリー除雪機であって、
回転駆動されるように除雪機の先端に取り付けられたドラムを備え、
前記ドラムが、小径部が中央の側に位置するように左側に配置された切頭円錐形の第３ドラム部分と、右側に配置され、小径部が前記第３ドラム部分の前記小径部と連続している第４ドラム部分とを有しており、
前記ドラムの外壁の中央部に、円周方向に等距離間隔隔てて、雪を遠方に撥ね飛ばすための複数基の第１羽根が取り付けられており、
前記ドラムの外壁に、雪を前記中央部に掻き集めるための第２羽根が取り付けられており、
前記第２羽根によって前記中央部に掻き集められた雪を、前記第１羽根によって掬い取って遠方に撥ね飛ばすように構成されていることを特徴とする除雪機。
【請求項４】
前記各第１羽根が、一対の対向した円周方向壁及び各円周方向壁の一端同士を連結する横断壁を有し、平面視でほぼコ字形の形状に形作られており、
前記第２羽根が、各第１羽根の円周方向壁の他端から前記第３ドラム部分の大径部及び前記第４ドラム部分の大径部まで、円周方向において前記第１羽根から遠去かる方へそれぞれ延びるように形作られていることを特徴とする請求項３に記載の除雪機。
【発明の詳細な説明】
【技術分野】
【０００１】
本発明は一般に、ロータリー除雪機に関する。より詳細には、本発明は、効率的に除雪作業を行うことができるロータリー除雪機に関する。
【背景技術】
【０００２】
積雪地においては、降り積もった雪を如何に処理するかが重要な問題となっている。道路等における積雪処理を行う装置としては、各種の除雪機が開発されており、これらの除雪機によって道路等の除雪が行われている。これらの除雪機は、図６に示されるように、除雪しようとする雪を集めて、回転するロータによって吹き飛ばすロータリー式のものが多くを占めている。
【発明の開示】
【発明が解決しようとする課題】
【０００３】
しかしながら、従来のロータリー式の除雪機においては、吹き飛ばそうとする雪が効率的に集められていないため、必ずしも良好な除雪効率が得られていないという課題があった。
【０００４】
本発明は、このような状況に鑑みて案出されたものであって、良好な除雪効率を有するロータリー除雪機を提供することを目的としている。
【課題を解決するための手段】
【０００５】
本願請求項１に記載のロータリー除雪機は、回転駆動されるように除雪機の先端に取り付けられたドラムを備え、前記ドラムが、小径部が中央の側に位置するように左側に配置された切頭円錐形の第１ドラム部分と、中央部に配置され、一方の端部が前記第１ドラム部分の前記小径部と連続している円筒形の中央ドラム部分と、右側に配置され、小径部が前記中央ドラム部分の他方の端部と連続している切頭円錐形の第２ドラム部分とを有しており、前記中央ドラム部分の外壁に、円周方向に等距離間隔隔てて、雪を遠方に撥ね飛ばすための複数基の第１羽根が取り付けられており、前記第１ドラム部分及び前記第２ドラム部分の外壁に、雪を前記中央部に掻き集めるための第２羽根が取り付けられており、前記第２羽根によって前記中央部に掻き集められた雪を、前記第１羽根によって掬い取って遠方に撥ね飛ばすように構成されていることを特徴とするものである。
【０００６】
本願請求項２に記載のロータリー除雪機は、前記請求項１の除雪機において、前記各第１羽根が、一対の対向した円周方向壁及び各円周方向壁の一端同士を連結する横断壁を有し、平面視でほぼコ字形の形状に形作られており、前記第２羽根が、各第１羽根の円周方向壁の他端から前記第１ドラム部分の大径部及び前記第２ドラム部分の大径部まで、円周方向において前記第１羽根から遠去かる方へそれぞれ延びるように形作られていることを特徴とするものである。
【０００７】
本願請求項３に記載のロータリー除雪機は、回転駆動されるように除雪機の先端に取り付けられたドラムを備え、前記ドラムが、小径部が中央の側に位置するように左側に配置された切頭円錐形の第３ドラム部分と、右側に配置され、小径部が前記第３ドラム部分の前記小径部と連続している第４ドラム部分とを有しており、前記ドラムの外壁の中央部に、円周方向に等距離間隔隔てて、雪を遠方に撥ね飛ばすための複数基の第１羽根が取り付けられており、前記ドラムの外壁に、雪を前記中央部に掻き集めるための第２羽根が取り付けられており、前記第２羽根によって前記中央部に掻き集められた雪を、前記第１羽根によって掬い取って遠方に撥ね飛ばすように構成されていることを特徴とするものである。
【０００８】
本願請求項４に記載のロータリー除雪機は、前記請求項３の除雪機において、前記各第１羽根が、一対の対向した円周方向壁及び各円周方向壁の一端同士を連結する横断壁を有し、平面視でほぼコ字形の形状に形作られており、前記第２羽根が、各第１羽根の円周方向壁の他端から前記第３ドラム部分の大径部及び前記第４ドラム部分の大径部まで、円周方向において前記第１羽根から遠去かる方へそれぞれ延びるように形作られていることを特徴とするものである。
【発明の効果】
【０００９】
本発明の除雪機によれば、ドラムの中央部に設けられた空間に第２羽根によって多量の雪が掻き集められるので、良好な除雪効率を期待することができる。
【発明を実施するための最良の形態】
【００１０】
次に図面を参照して、本発明の好ましい実施の形態に係るロータリー除雪機について詳細に説明する。図１は、本発明の第１の実施の形態に係るロータリー除雪機を示した斜視図である。図１において全体として参照符号１０で示される本発明の第１の実施の形態に係るロータリー除雪機は、除雪機の先端に回転可能に取り付けられたドラム１２を備えている。
【００１１】
ドラム１２は、小径部１４ａが中央の側に位置するように左側に配置された切頭円錐形の第１ドラム部分１４と、中央部に配置され、一方の端部１５ａが第１ドラム部分１４のの小径部１４ａと連続している円筒形の中央ドラム部分１５と、右側に配置され、小径部１６ａが中央ドラム部分１５の他方の端部１５ｂと連続している切頭円錐形の第２ドラム部分１６とを有している。ドラム１２をこのように形成することにより、中央ドラム部分１５の周囲に空間１８が形成されることになる。なお、参照符号１４ｂ、１６ｂは、第１ドラム部分１４の大径部、第２ドラム部分１６の大径部をそれぞれ示している。
【００１２】
ドラム１２は、駆動源（図示せず）によって回転駆動されるようになっている。なお、駆動源は、公知のものを使用してよい。
【００１３】
中央ドラム部分１５の外壁には、円周方向に等距離間隔隔てて、４基の第１羽根２０が取り付けられている。各第１羽根２０は、一対の対向した円周方向壁２０ａ、２０ｂ及び各円周方向壁の一端（正面視で上端）同士を連結する横断壁２０ｃを有しており、平面視でほぼコ字形の形状を形作っている。第１羽根２０は、詳細には後述するように、雪を遠方に撥ね飛ばすためのものである。
【００１４】
第１ドラム部分１４の外壁には、各第１羽根２０の円周方向壁２０ａ、２０ｂの他端（正面視で下端）から第１ドラム部分１４の大径部１４ｂまで、円周方向において当該第１羽根２０から遠去かる方へそれぞれ延びた第２羽根２２が取り付けられている。また、第２ドラム部分１６の外壁にも、各第１羽根２０の円周方向壁２０ａ、２０ｂの他端（正面視で下端）から第２ドラム部分１６の大径部１６ｂまで、円周方向において当該第１羽根２０から遠去かる方へそれぞれ延びた第２羽根２２が取り付けられている。第２羽根２２は、詳細には後述するように、ドラム１２の前面の雪をドラム１２の中央部に掻き集めるためのものである。
【００１５】
次に、以上のように構成された本発明のロータリー除雪機１０の作動について説明する。除雪しようとする箇所にロータリー除雪機１０を前進させて、ドラム１２を回転させる。すると、第２羽根２２によって雪がドラム１２の中央部に掻き集められる（図３において、一点鎖線は、ドラム１２の回転時における第２羽根２２の外縁の軌跡を示している）。ドラム１２の中央部に掻き集められた雪は、第１羽根２０によって掬い取られ、ドラム１２の後方に設けられた誘導経路２４を介して遠方に撥ね飛ばされる。
【００１６】
図５は、本発明の第２の実施の形態に係るロータリー除雪機３０のドラムを示した断面図である。本発明の第２の実施の形態に係るロータリー除雪機３０は、中央ドラム部分が設けられていない点を除いて、本発明の第１の実施の形態に係るロータリー除雪機１０と実質的に同じ構成を有している。
【００１７】
すなわち、ロータリー除雪機３０は、回転駆動されるように除雪機の先端に取り付けられたドラム３２を備えている。ドラム３２は、小径部３４ａが中央の側に位置するように左側に配置された切頭円錐形の第３ドラム部分３４と、右側に配置され、小径部３６ａが第３ドラム部分３４の小径部３４ａと連続している第４ドラム部分３６とを有している。ドラム３２の外壁の中央部には、円周方向に等距離間隔隔てて、雪を遠方に撥ね飛ばすための複数基の第１羽根４０が取り付けられている。各第１羽根４０は、一対の対向した円周方向壁４０ａ、４０ｂ及び各円周方向壁の一端同士を連結する横断壁４０ｃを有し、平面視でほぼコ字形の形状に形作られている。また、ドラム３２の外壁に、雪をドラム３２の中央部に掻き集めるための第２羽根４２が取り付けられている。第２羽根４２は、各第１羽根４０の円周方向壁４０ａ、４０ｂの他端から第３ドラム部分３４の大径部３４ｂ及び第４ドラム部分３６の大径部３６ｂまで、円周方向において当該第１羽根４０から遠去かる方へそれぞれ延びるように形作られている。
【００１８】
本発明は、以上の発明の実施の形態に限定されることなく、特許請求の範囲に記載された発明の範囲内で、種々の変更が可能であり、それらも本発明の範囲内に包含されるものであることはいうまでもない。
【００１９】
例えば、前記実施の形態では、除雪機に４基の第１羽根２０が設けられているが、除雪機の規模に応じて、第１羽根の設置基数を増減させてもよい。また、第１羽根２０が平面視でコ字形の形状を有しているが、例えば、第１羽根を平面視で台形状となるように形作ってもよい。
【図面の簡単な説明】
【００２０】
【図１】本発明の第１の実施の形態に係るロータリー除雪機の斜視図である。
【図２】図１の除雪機のドラムの拡大斜視図である。
【図３】図１の除雪機のドラムの正面図である。
【図４】図４（ａ）は図２の線４ａ−４ａに沿った断面図、図４（ｂ）は図４（ａ）の線４ｂ−４ｂに沿った断面図である。
【図５】本発明の第２の実施の形態に係るロータリー除雪機の図４（ａ）と同様な図である。
【図６】従来の典型的なロータリー除雪機の斜視図である。
【符号の説明】
【００２１】
１０  ロータリー除雪機
１２  ドラム
１４  第１ドラム部分
１５  中央ドラム部分
１６  第２ドラム部分
１８  空間
２０  第１羽根
２２  第２羽根
３０  ロータリー除雪機
３２  ドラム
３４  第３ドラム部分
３６  第４ドラム部分
４０  第１羽根
４２  第２羽根
【図１】
2006291633.tif 000003
【図２】
2006291633.tif 000004
【図３】
2006291633.tif 000005
【図４】
2006291633.tif 000006
【図５】
2006291633.tif 000007
【図６】
2006291633.tif 000008